(57)【要約】【課題】利用者の好みによって品物を支持する傾斜角度を調整できる支持枠を提供する。【解決手段】品物を傾斜に支持するためのものであり、そのうちの一つに品物を放置することができる二つのプレートと、全体の断面形状が三角形になるように二つのプレートを結合する角度調整手段と、を含む角度調整可能な支持枠において、角度調整手段は、係りリングと、二つのリングと、調整ロッドと、を含み、係りリングは、二つのプレートのうちの一つに設けられ、その内壁に軸方向溝が複数設けられ、二つのリングは、二つのプレートのうちの残りに設けられ、係りリングが二つのリングと同軸するように二つのリングの間に組み付けられ、調整ロッドは、二つのリングと係りリングとを挿通し、その周面には、軸方向溝及び規制用キーウェーと係止する係止キーが成形される。【選択図】図１０
0003169418.tif 000002
【実用新案登録請求の範囲】
【請求項１】
品物を傾斜に支持するためのものであり、
そのうちの一つに前記品物を放置することができる二つのプレートと、
全体の断面形状が三角形になるように前記二つのプレートを結合する角度調整手段と、  を含む角度調整可能な支持枠において、
前記角度調整手段は、係りリングと、二つのリングと、調整ロッドと、を含み、
前記係りリングは、前記二つのプレートのうちの一つに設けられ、その内壁に軸方向溝が複数設けられ、
前記二つのリングは、前記二つのプレートのうちの残りに設けられ、前記係りリングが前記二つのリングと同軸するように前記二つのリングの間に組み付けられ、前記二つのリングのうちの一つの内壁には、前記軸方向溝に合せられる規制用キーウェーが設けられ、  前記調整ロッドは、前記二つのリングと前記係りリングとを挿通し、その周面には、前記軸方向溝及び前記規制用キーウェーと係止する係止キーが成形され、
前記係止キーが前記軸方向溝から離脱したときには、前記二つのプレートが前記調整ロッドを中心として相対に旋回して前記二つのプレートの開角を調整可能であることを特徴とする角度調整可能な支持枠。
【請求項２】
前記二つのリングは、それぞれ左側リングと、前記左側リングからある距離を置いて設けられる右側リングとであり、前記規制用キーウェーが前記左側リングに形成され、前記右側リングの内壁に止め壁が設けられ、前記調整ロッドの周面の前記係止キーから遠ざかった箇所で止め凸縁が成形され、前記止め凸縁は、前記止め壁に当接して、前記調整ロッドが前記右側リングから滑り出すことを防止するためのものであることを特徴とする、請求項１に記載の角度調整可能な支持枠。
【請求項３】
更に、締付具を含み、前記締付具は、前記左側リングに締付けられて、前記調整ロッドが前記左側リングから滑り出すことを防止するためのものであることを特徴とする、請求項２に記載の角度調整可能な支持枠。
【請求項４】
前記締付具には、前記左側リングに挿入されて前記左側リングと連接するピンが成形され、前記調整ロッドには、前記ピンを嵌め込み可能な溝が設けられ、前記溝の深さは前記ピンの前記溝に嵌め込まれる長さよりも大きいことを特徴とする、請求項３に記載の角度調整可能な支持枠。
【請求項５】
更に、前記締付具に嵌め設けられてその弾性により前記調整ロッドを押付けるバネを含むことを特徴とする、請求項３に記載の角度調整可能な支持枠。
【請求項６】
前記左側リングの内壁に内ねじが設けられ、前記締付具の周面には、前記内ねじと螺合する外ねじが成形されることを特徴とする、請求項３に記載の角度調整可能な支持枠。
【請求項７】
前記右側リングの内壁に補助規制用キーウェーが設けられ、前記調整ロッドの周面には、前記補助規制用キーウェーと互いに嵌止める補助係止キーが成形されることを特徴とする、請求項３に記載の角度調整可能な支持枠。
【請求項８】
前記第１プレートの自由端には、前記品物を受ける受け部が成形され、前記受け部に滑り止めスリーブを選択的に設けることができることを特徴とする、請求項３に記載の角度調整可能な支持枠。
【請求項９】
前記左側リングと前記係りリングの間にワッシャが設けられ、前記右側リングと前記係りリングの間にワッシャも設けられることを特徴とする、請求項３に記載の角度調整可能な支持枠。
【請求項１０】
前記ワッシャのうちの一つには、前記係止キーを挿通可能な中心貫通孔が設けられ、前記ワッシャのうちの残りには、前記止め凸縁を通過可能な中心貫通孔が設けられることを特徴とする、請求項９に記載の角度調整可能な支持枠。
【考案の詳細な説明】
【技術分野】
【０００１】
本考案は、支持枠に関し、特に、角度を調整できる支持枠に関するものである。
【背景技術】
【０００２】
科学技術の高速な進展に従って、多くの薄型電子装置が開発され、例えば携帯電話、デジタルカメラ、ＰＤＡ（Ｐｅｒｓｏｎａｌ  Ｄｉｇｉｔ  Ａｓｓｉｓｔａｎｔ）、タッチコントロール式携帯電話や電子ブックなどが次々と開発されて市販するようになった。これらの薄型電子装置が卓面などに置かれているときには、薄型電子装置のスクリーンを容易に見ることができるために、支持枠に薄型電子装置を置くことがある。
【０００３】
しかし、従来の支持枠は、構成が複雑であり、連接ロッド及び支持脚が多数あり、一部の従来の支持枠は折畳むことができず、一部の従来の支持枠は、折畳むことができるが、品物を支持しているときの品物の卓面との開角を調整できないため、利用者は快適な姿勢で薄型電子装置のスクリーンを見ることができない。
【考案の概要】
【考案が解決しようとする課題】
【０００４】
本考案の主な目的は、利用者の好みによって品物を支持する傾斜角度を調整できる支持枠を提供することにある。
【課題を解決するための手段】
【０００５】
本考案の角度調整可能な支持枠によると、品物を傾斜に支持するためのものであり、
そのうちの一つに前記品物を放置することができる二つのプレートと、
全体の断面形状が三角形になるように前記二つのプレートを結合する角度調整手段と、  を含む角度調整可能な支持枠において、
前記角度調整手段は、係りリングと、二つのリングと、調整ロッドと、を含み、
前記係りリングは、前記二つのプレートのうちの一つに設けられ、その内壁に軸方向溝が複数設けられ、
前記二つのリングは、前記二つのプレートのうちの残りに設けられ、前記係りリングが前記二つのリングと同軸するように前記二つのリングの間に組み付けられ、前記二つのリングのうちの一つの内壁には、前記軸方向溝に合せられる規制用キーウェーが設けられ、  前記調整ロッドは、前記二つのリングと前記係りリングとを挿通し、その周面には、前記軸方向溝及び前記規制用キーウェーと係止する係止キーが成形され、
前記係止キーが前記軸方向溝から離脱したときには、前記二つのプレートが前記調整ロッドを中心として相対に旋回して前記二つのプレートの開角を調整可能であることを特徴とする。
【０００６】
本考案の角度調整可能な支持枠によると、前記二つのリングは、それぞれ左側リングと、前記左側リングからある距離を置いて設けられる右側リングとであり、前記規制用キーウェーが前記左側リングに形成され、前記右側リングの内壁に止め壁が設けられ、前記調整ロッドの周面の前記係止キーから遠ざかった箇所で止め凸縁が成形され、前記止め凸縁は、前記止め壁に当接して、前記調整ロッドが前記右側リングから滑り出すことを防止するためのものであることを特徴とする。
【０００７】
本考案の角度調整可能な支持枠によると、更に、締付具を含み、前記締付具は、前記左側リングに締付けられて、前記調整ロッドが前記左側リングから滑り出すことを防止するためのものであることを特徴とする。
【０００８】
本考案の角度調整可能な支持枠によると、前記締付具には、前記左側リングに挿入されて前記左側リングと連接するピンが成形され、前記調整ロッドには、前記ピンを嵌め込み可能な溝が設けられ、前記溝の深さは前記ピンの前記溝に嵌め込まれる長さよりも大きいことを特徴とする。
【０００９】
本考案の角度調整可能な支持枠によると、更に、前記締付具に嵌め設けられてその弾性により前記調整ロッドを押付けるバネを含むことを特徴とする。
【００１０】
本考案の角度調整可能な支持枠によると、前記左側リングの内壁に内ねじが設けられ、前記締付具の周面には、前記内ねじと螺合する外ねじが成形されることを特徴とする。
【００１１】
本考案の角度調整可能な支持枠によると、前記右側リングの内壁に補助規制用キーウェーが設けられ、前記調整ロッドの周面には、前記補助規制用キーウェーと互いに嵌止める補助係止キーが成形されることを特徴とする。
【００１２】
本考案の角度調整可能な支持枠によると、前記第１プレートの自由端には、前記品物を受ける受け部が成形され、前記受け部に滑り止めスリーブを選択的に設けることができることを特徴とする。
【００１３】
本考案の角度調整可能な支持枠によると、前記左側リングと前記係りリングの間にワッシャが設けられ、前記右側リングと前記係りリングの間にワッシャも設けられることを特徴とする。
【００１４】
本考案の角度調整可能な支持枠によると、前記ワッシャのうちの一つには、前記係止キーを挿通可能な中心貫通孔が設けられ、前記ワッシャのうちの残りには、前記止め凸縁を通過可能な中心貫通孔が設けられることを特徴とする。
【考案の効果】
【００１５】
本考案の角度調整可能な支持枠によれば、次のような効果がある。
（１）調整ロッドの係止キーと係りリングの軸方向溝を選択的に係合することにより、二つのプレートの開角と、支持する品物の傾斜角度と、を自由に調整でき、操作が極めて簡単である。
（２）本考案の支持枠を利用しない場合には、二つのプレートの開角をゼロ度にすることができ、収納が容易となる。
（３）本考案の支持枠は、薄型電子装置を支持できるだけではなく、本、フォトフレームや看板などを支持することもでき、支持する対象物によって支持枠の寸法を変化することにより、支持可能な対象物の種類が多くなる。
【図面の簡単な説明】
【００１６】
【図１】本考案の一実施例の使用状態を示す模式図である。
【図２】本考案の支持枠の分解斜視図である。
【図３】本考案の角度調整手段の分解斜視図である。
【図４】本考案の角度調整手段の組合済み状態の斜視図である。
【図５】本考案の支持枠が折畳まれた状態を示す斜視図である。
【図６】図５の６-６線の断面図である。
【図７】図６の７-７線の断面図である。
【図８】本考案の角度調整手段の一部の断面図であって、調整ロッドが押圧されて係止キーが係りリングの軸方向溝から離脱した。
【図９】本考案の支持枠の角度を調整する作業を示す模式図である。
【図１０】本考案の支持枠が展開された状態を示す斜視図である。
【図１１】本考案の滑り止めスリーブを示す斜視図である。
【図１２】本考案の角度調整手段の別の実施例の一部の断面図である。
【図１３】本考案の角度調整手段の別の実施例の一部の断面図であって、調整ロッドが押圧されて係止キーが係りリングの軸方向溝から離脱した。
【考案を実施するための形態】
【００１７】
以下、本考案の実施の形態を図面に基づいて説明する。
まず、図１を参照する。本考案の角度調整可能な支持枠１（以下、単に「支持枠１」を称し）は、品物１００を傾斜に支持できる。図２乃至図４を参照する。本考案の支持枠１は、第１プレート１０と、第２プレート２０と、角度調整手段３０と、を含む。
【００１８】
図２に示すように、第１プレート１０と第２プレート２０とは、ほぼ矩形を呈し、何れかの適当の材料で作製されてもよく、例えば金属でもいいし、木材でもいいし、樹脂でもよい。
【００１９】
本考案の一実施例では、第１プレート１０が第２プレート２０の前方に位置し、第１プレート１０に品物１００を放置できる。特に、第１プレート１０に品物１００を安定に放置できるために、第１プレート１０の卓面などと接触する一端に受け部１１が設けられる。受け部１１は品物１００を収容できる幅を有する。品物１００の厚さが小さすぎる場合には、品物１００が受け部１１を摺動することを防止するために、受け部１１内に滑り止めパッド１１１が設けられる。
【００２０】
第１プレート１０と第２プレート２０の間に角度調整手段３０が設けられる。角度調整手段３０により、第１プレート１０と第２プレート２０を予定開角で連接することができ、そうすると、卓面などに支持枠１を立てることができる。角度調整手段３０は、係りリング３１と、リング３２，３２´と、調整ロッド３３と、を含む。
【００２１】
図２に示すように、係りリング３１は、第１プレート１０の一端の中央に設けられ、その内壁に軸方向溝３１１が複数設けられる。リング３２，３２´は、第２プレート２０の一端の両側に設けられ、その間に係りリング３１を同軸に組み付けることができる。具体的には、左側リング３２が係りリング３１の左側に位置し、右側リング３２´が係りリング３１の右側に位置する。左側リング３２の内壁には、軸方向溝３１１に合せる規制用キーウェー３２１が設けられる。図６に示すように、右側リング３２´の内壁に止め壁３２１´が設けられる。これにより、調整ロッド３３が右側リング３２´から滑り出すことを防止できる。
【００２２】
調整ロッド３３は、左側リング３２、係りリング３１及び右側リング３２´を挿通し、その周面には、軸方向溝３１１及び規制用キーウェー３２１と互いに嵌止める係止キー３３１が成形される。一方、調整ロッド３３の周面の係止キー３３１から遠ざかった箇所で止め凸縁３３２が成形される。止め凸縁３３２は、右側リング３２´の内壁にある止め壁３２１´に当接して、調整ロッド３３が右側リング３２´から滑り出すことを防止するためのものである。
【００２３】
次に、本考案の支持枠１の組付け作業を説明する。図５を参照する。まず、第２プレート２０に第１プレート１０を合せて、リング３２、３２´の間に係りリング３１を同軸に嵌め込んだ後、第２プレート２０の左側リング３２と、第１プレート１０の係りリング３１と、第２プレート２０の右側リング３２´とに、調整ロッド３３を順次に挿通する。次に、第２プレート２０の左側から、Ｔ字形を呈する締結具３４と、締結具３４のピン３４１に嵌合されるバネ３５と、を左側リング３２に嵌め込む。これにより、リング３２、３２´の間に調整ロッド３３を確実に規制することができる。
【００２４】
具体的には、図６に示すように、第２プレート２０の左側リング３２の内壁に内ねじ３２２が設けられ、締結具３４の周面には、内ねじ３２２と螺合する外ねじ３４２が成形される。左側リング３２に締結具３４をねじ込むと、左側リング３２と右側リング３２´の間に調整ロッド３３を確実に規制することができ、そうすると、調整ロッド３３は何れかの側から滑り出すことができない。
【００２５】
一方、調整ロッド３３の係りリング３１の軸方向溝３１１への進出を便利にするために、調整ロッド３３を左右に若干に移動できるようにする。上記の目的を達成するために、図６に示すように、調整ロッド３３の左端に溝３３３が設けられ、溝３３３に締結具３４のピン３４１を嵌め込むことができ、しかし、溝３３３の深さがピン３４１の溝３３３に嵌め込まれる長さよりも大きいため、調整ロッド３３とピン３４１の間に少しの空間があり、これにより、調整ロッド３３は左右に若干に移動できる。
【００２６】
一方、左側リング３２、右側リング３２´と係りリング３１の間の長期間の摩擦による磨耗を防止するために、左側リング３２と係りリング３１の間及び右側リング３２´と係りリング３１の間には、樹脂又はゴムによって作製されたワッシャ３６、３７が設けられる。特に、ワッシャ３６に中心貫通孔３６１が設けられ、ワッシャ３７に中心貫通孔３７１が設けられる。これにより、調整ロッド３３の係止キー３３１及び止め凸縁３３２はワッシャ３６、３７を通過できる。
【００２７】
次に、図６乃至図１０を参照しながら本考案の支持枠１の角度調整メカニズムを説明する。
【００２８】
図６に示すように、左側リング３２、右側リング３２´と係りリング３１に調整ロッド３３を挿通した後、バネ３５の弾力により、調整ロッド３３が右方に付勢されて、調整ロッド３３の止め凸縁３３２が右側リング３２´の止め壁３２１´に当接する。このとき、図７に示すように、調整ロッド３３の係止キー３３１は、係りリング３１の軸方向溝３１１のうちの一つと、左側リング３２の規制用キーウェー３２１と、に位置しているため、係りリング３１と左側リング３２とが係止キー３３１に嵌止められて相対に旋回できない。
【００２９】
図８に示すように、利用者が右側から調整ロッド３３を押圧すると、調整ロッド３３が左側に移動して、係止キー３３１が軸方向溝３１１から離脱するようになる。このとき、係りリング３１が係止キー３３１に嵌止められないため、係りリング３１は左側リング３２に対して旋回できる。これにより、第１プレート１０は第２プレート２０に対して旋回でき、図９に示すように、第１プレート１０と第２プレート２０の開角を調整できる。
【００３０】
利用者が第１プレート１０と第２プレート２０の開角を決めた後、調整ロッド３３を放すだけで、バネ３５の弾力により、調整ロッド３３が付勢されて右側に移動して、図６に示すように、止め凸縁３３２が止め壁３２１´に当接する。しかし、このとき、第１プレート１０と第２プレート２０は、図１０に示すように、予定の開角に展開された。
【００３１】
図１１を参照する。本考案の支持枠１は滑り止めスリーブ１１２に合せて利用できる。滑り止めスリーブ１１２は、その外形が第１プレート１０の受け部１１の外形によく類似し、受け部１１に嵌め設けられ、滑り止め効果を得ることができる。これにより、卓面などに支持枠１全体を安定に立てることができる。
【００３２】
図１２及び図１３に示すのは本考案の別の実施例である。本実施例の上記実施例と相違する点は、右側リング３２´の内壁に補助規制用キーウェー３２２´が別に設けられ、調整ロッド３３の周面には、補助規制用キーウェー３２２´と互いに嵌止める補助係止キー３３４が成形されることにある。図１２に示すように、正常状態では、調整ロッド３３の係止キー３３１は、係りリング３１の軸方向溝３１１及び左側リング３２の規制用キーウェー３２１と互いに嵌止め、なお、調整ロッド３３の補助係止キー３３４が右側リング３２´の補助規制用キーウェー３２２´と互いに嵌止め、そうすると、左右側が同時に嵌止める。利用者が右側から調整ロッド３３を押圧すると、調整ロッド３３が左側に移動して、係止キー３３１が係りリング３１の軸方向溝３１１から離脱し、そして補助係止キー３３４が補助規制用キーウェー３２２´から離脱するようになる。このとき、係りリング３１は左側リング３２と右側リング３２´とに対して旋回できる。これにより、第１プレート１０と第２プレート２０の開角を調整でき、上記の実施例と同じ効果を達成できる。
【００３３】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００３４】
本考案は、支持枠に適用することができる。
【符号の説明】
【００３５】
１            支持枠
１０            第１プレート
１１            受け部
２０            第２プレート
３０            角度調整手段
３１            係りリング
３２            リング
３２´            リング
３３            調整ロッド
３４            締結具
３５            バネ
３６            ワッシャ
３７            ワッシャ
１００            品物
１１１            滑り止めパッド
１１２            滑り止めスリーブ
３１１            軸方向溝
３２１            規制用キーウェー
３２１´          止め壁
３２２            内ねじ
３２２´          補助規制用キーウェー
３３１            係止キー
３３２            止め凸縁
３３３            溝
３３４            補助係止キー
３４１            ピン
３４２            外ねじ
３６１            中心貫通孔
３７１            中心貫通孔
【図１】
0003169418.tif 000003
【図２】
0003169418.tif 000004
【図３】
0003169418.tif 000005
【図４】
0003169418.tif 000006
【図５】
0003169418.tif 000007
【図６】
0003169418.tif 000008
【図７】
0003169418.tif 000009
【図８】
0003169418.tif 000010
【図９】
0003169418.tif 000011
【図１０】
0003169418.tif 000012
【図１１】
0003169418.tif 000013
【図１２】
0003169418.tif 000014
【図１３】
0003169418.tif 000015